(57)【特許請求の範囲】
【請求項１】
横断面形状を多角形とした胴部２の上端から起立する口頸部４の外面にキャップ７を嵌合させ、又胴部２が有する複数角部のいずれかに凹部５を形成して、該凹部が有する三角形状の上下両壁の頂角部分から、下方および上方へ第２、第１係合突部６ｂ、６ａを、凹部５の後壁５ａとの間に小間隙をあけて突設した薄肉容器体１と、該薄肉容器体の胴部２外面に嵌合させた、該胴部と同一横断面形状の補強紙筒８とからなり、上記凹部５外方の補強紙筒８角部部分の上下両側に切り離し線９、９を穿設し、かつこれ等切り離し線間の補強紙筒部分８ａを上記凹部５内へ反転させて、該補強紙筒部分８ａを上記後壁５ａへ当接させると共に、その補強紙筒部分８ａの上下両部を上記第２、第１係合突部６ｂ、６ａと後壁５ａとの間の上記小間隙内へ嵌合させたことを特徴とする二重筒状容器。
【請求項２】
横断面形状を多角形とした胴部２の上端から起立する口頸部の外面にキャップ７を嵌合させ、又胴部２が有する複数角部のいずれかに凹部５を形成して、該凹部が有する後壁5aの左右両側に係合突条10, 10を平行に縦設した薄肉容器体１と、
該薄肉容器体の胴部２外面に嵌合させた、該胴部と同一横断面形状の補強紙筒８と
からなり、
上記凹部５外方の補強紙筒８部分の左右両側にコ字形の切り離し線11, 11を、上記胴部２角部の稜線を挟んでかつ自由端を相互に遠ざけた左右対称に穿設して、上下両切り離し線部分間の補強紙筒８部分を折り曲げフラップ12, 12となし、かつこれ等折り曲げフラップを上記凹部５内へ屈曲させて、両折り曲げフラップの自由端を、係合突条10, 10の対向する側の各側面へそれぞれ係合させたことを特徴とする二重筒状容器。
【発明の詳細な説明】
【０００１】
【発明の属する技術分野】
本発明は、薄肉合成樹脂製の容器体と、該容器体の胴部外面に嵌合させた紙製の補強筒とで形成された二重筒状容器に関する。
【０００２】
【従来の技術】
この種容器として、実開平７-22968号記載のものがあり、該容器は、胴部の外面に凹部を複数形成した合成樹脂製の薄肉容器体と、該容器体の胴部外面に嵌合させた紙筒とからなり、該紙筒から折り曲げフラップを突設し、かつ該折り曲げフラップを斜め下内方へ折り曲げて、該フラップ自身の復元力により、フラップの先端部を凹部が有する下壁一部へ当接させることで、紙筒が容器体胴部の外面から下方へ抜け出さないよう設け、又紙筒の上端を容器体の胴部上端外面に形成した下向き段部に係合させることで、紙筒が容器体胴部の外面から上方へ抜け出さないよう設けている。
【０００３】
【発明が解決しようとする課題】
上記従来例の二重筒状容器は、折り曲げフラップを斜め下内方へ押し曲げた状態で紙筒の上方から該紙筒内へ容器体胴部を嵌合させねばならないから、紙筒内へ容器体胴部を嵌合させる際、その折り曲げフラップが邪魔となり、よって、紙筒の内面へ容器体胴部を緊密に嵌合させることが困難であり、又紙筒内へ容器体胴部を嵌合させることに先立って、予め、折り曲げフラップを下内方へ折り曲げておくことを要して面倒であった。
【０００４】
本発明は、薄肉容器体胴部と紙筒の横断面形状を同一の多角形とし、かつ薄肉容器体胴部が有する角部に凹部を形成し、又該凹部外方の紙筒部分に切り離し線を穿設して、紙筒の筒壁一部を、凹部内へ挿入させて紙筒を抜き止めする係合板とすることで、二重筒状容器を容易に作製でき、かつ紙筒が薄肉容器体の胴部外面から抜け出さないよう設けた。
【０００５】
【課題を解決するための手段】
第１の手段として、横断面形状を多角形とした胴部２の上端から起立する口頸部４の外面にキャップ７を嵌合させ、又胴部２が有する複数角部のいずれかに凹部５を形成して、該凹部が有する三角形状の上下両壁の頂角部分から、下方および上方へ第２、第１係合突部６ｂ、６ａを、凹部５の後壁５ａとの間に小間隙をあけて突設した薄肉容器体１と、該薄肉容器体の胴部２外面に嵌合させた、該胴部と同一横断面形状の補強紙筒８とからなり、上記凹部５外方の補強紙筒８角部部分の上下両側に切り離し線９、９を穿設し、かつこれ等切り離し線間の補強紙筒部分８ａを上記凹部５内へ反転させて、該補強紙筒部分８ａを上記後壁５ａへ当接させると共に、その補強紙筒部分８ａの上下両部を上記第２、第１係合突部６ｂ、６ａと後壁５ａとの間の上記小間隙内へ嵌合させたことを特徴とする。
【０００６】
第２の手段として、横断面形状を多角形とした胴部２の上端から起立する口頸部の外面にキャップ７を嵌合させ、又胴部２が有する複数角部のいずれかに凹部５を形成して、該凹部が有する後壁5aの左右両側に係合突条10, 10を平行に縦設した薄肉容器体１と、
該薄肉容器体の胴部２外面に嵌合させた、該胴部と同一横断面形状の補強紙筒８と
で形成し、
上記凹部５外方の補強紙筒８部分の左右両側にコ字形の切り離し線11, 11を、上記胴部２角部の稜線を挟んでかつ自由端を相互に遠ざけた左右対称に穿設して、上下両切り離し線部分間の補強紙筒８部分を折り曲げフラップ12, 12となし、かつこれ等折り曲げフラップを上記凹部５内へ屈曲させて、両折り曲げフラップの自由端を、係合突条10, 10の対向する側の各側面へそれぞれ係合させた。
【０００７】
【発明の実施の形態】
本発明の容器は、合成樹脂製の薄肉容器体１と補強紙筒８とからなり、図１から図３が示す第１実施形態の薄肉容器体１は、横断面形状を略正方形とした胴部２の上端から下向き段部３を介して口頸部４を起立し、又胴部２が有する複数角部のいずれかに凹部５を形成している。該凹部は、図２ａが示すように凹状に彎曲する後壁5aと、平面三角形状の上下両壁を有し、下壁の頂角部分から、後面を凸状に彎曲させた平面扇形状の第１係合突部6aを、上記後壁5aの下部外面との間に小間隙をあけて上方突設し、かつ図２ｂのように、凹部上壁の頂角部分から、上記第１係合突部6aと同一形状の第２係合突部6bを、後壁5aの上部外面との間に小間隙をあけて下方突設している。更に、口頸部４の外面には、キャップ７の周壁を螺合させる。
【０００８】
補強紙筒８は、上下両面開口かつ横断面形状を略正方形とした筒体であり、薄肉容器体の胴部２外面に嵌合させて、その筒壁の上端を上記下向き段部３に当接させ、又上記凹部５外方の筒壁角部部分の上下両側に切り離し線９, ９を平行に穿設し、図３ａ, ｂが示すように、これ等切り離し線間の補強紙筒部分8aを上記凹部５内へ反転させて、該凹部の後壁5a外面にその補強紙筒部分8aの内面を当接させると共に、その補強紙筒部分8aの上下両部を上記第１, 第２係合突部6a, 6bの後面へ係合させて、補強紙筒部分8aの反転状態を保持させるよう形成している。
【０００９】
第１実施形態の容器を組み立てる場合には、図１が示す状態から、補強紙筒８を薄肉容器体の胴部２外面に嵌合させ、次いで、切り離し線９, ９間の補強紙筒部分8aを凹部５内へ反転させ、その補強紙筒部分8aの上下両部を第１, 第２係合突部6a, 6bの後面へ係合させるものとする。
【００１０】
図４から図６は、本発明容器の第２実施形態であり、第１実施形態と相違する部分についてのみ説明し、構造が同一である部分についは同一の符号を付して説明を省略する。
【００１１】
凹部５は、薄肉容器体の胴部２が有する複数角部のいずれかに穿設され、かつ図４が示すように、該凹部が有する後壁5aの左右両側に係合突条10, 10を平行に縦設している。
【００１２】
補強紙筒８は、上記凹部５外方の補強紙筒部分の左右両側にコ字形の切り離し線11, 11を、胴部２角部の稜線を挟んでかつ自由端を相互に遠ざけた左右対称に穿設して、上下両切り離し線部分間の補強紙筒部分を折り曲げフラップ12, 12となし、かつ図６が示すように、これ等折り曲げフラップを上記凹部５内へ屈曲させて、両折り曲げフラップ12, 12の自由端を、上記係合突条10, 10の対向する側の各側面へそれぞれ係合させている。
【００１３】
第２実施形態の容器を組み立てる場合には、図４が示す状態から、補強紙筒８を薄肉容器体の胴部２外面に嵌合させ、次いで、図６が示すように、折り曲げフラップ12, 12を凹部５内方へ屈曲させて、両折り曲げフラップの自由端を、係合突条10, 10の対向する側の各側面へそれぞれ係合させるものとする。
【００１４】
上記第１実施形態および第２実施形態では、薄肉容器体の胴部が有する複数角部のいずれかに凹部５を形成したが、図７のように、薄肉容器体胴部の各角部に凹部５をそれぞれ形成してもよく、該構成とすると、補強紙筒８を胴部２外面へ嵌合させる際、切り離し線と凹部５の位置を合わせずに済む利点がある。
【００１５】
上記各実施形態では、薄肉容器体胴部の横断面形状を四角形としたが、それ以外の多角形、例えば六角形としてもよく、この場合には、補強紙筒８の横断面形状も六角形とする。
【００１６】
本発明の容器を廃棄する場合には、薄肉容器体を潰して胴部を補強紙筒８から抜き出し、或いは、補強紙筒８を切り裂くなどして、薄肉容器体と補強紙筒を分別して廃棄する。
【００１７】
【発明の効果】
本発明は、上記構成とするものであり、請求項１記載の発明の場合は、薄肉容器体の胴部２が有する複数角部のいずれかに凹部５を形成して、該凹部が有する三角形状の上下両壁の頂角部分から、下方および上方へ第２, 第１係合突部6b, 6aを突設し、かつ凹部５外方の補強紙筒８角部部分の上下両側に切り離し線９ ,９を穿設し、又これ等切り離し線間の補強紙筒部分8aを凹部５内へ反転させて、該補強紙筒部分の上下両部を第１, 第２係合突部6a, 6bの後面へ係合させるよう形成したから、図１が示す状態から補強紙筒８を薄肉容器体胴部２の外面に嵌合させ、かつ図３ａ, ｂのように、切り離し線９, ９間の補強紙筒部分8aを凹部５内へ反転させて、その補強紙筒部分8aの上下両部を第１, 第２係合突部6a, 6bの後面へ係合させるだけで、二重筒状容器を容易に作製でき、又上記のように、切り離し線間の補強紙筒部分8aを凹部５内へ反転させ、かつその補強紙筒部分8aの上下両部を第１, 第２係合突部6a, 6bの後面に係合させたから、補強紙筒８が薄肉容器体に対して上下動ないし回動することがない。更に、補強紙筒８は、製品名或いは使用説明を表記する印刷面として利用できる。
【００１８】
請求項２記載の発明の場合は、薄肉容器体の胴部２が有する複数角部のいずれかに凹部５を形成して、該凹部が有する後壁5aの左右両側に係合突条10, 10を平行に縦設し、かつ凹部５外方の補強紙筒部分の左右両側にコ字形の切り離し線11, 11を、胴部２角部の稜線を挟んでかつ自由端を相互に遠ざけた左右対称に穿設して、上下両切り離し線部分間の補強紙筒部分を折り曲げフラップ12, 12となし、かつこれ等折り曲げフラップを凹部５内へ屈曲させて、両折り曲げフラップの自由端を、係合突条10, 10の対向する側の各側面へそれぞれ係合させたから、図４が示す状態から補強紙筒８を薄肉容器体の胴部外面に嵌合させ、かつ図６が示すように、折り曲げフラップ12, 12を凹部５内へ屈曲させて、両折り曲げフラップの自由端を、係合突条10, 10の対向する側の各側面へそれぞれ係合させるだけで、二重筒状容器を容易に作製でき、又上記のように、折り曲げフラップ12, 12を凹部５内へ屈曲させ、かつそれ等折り曲げフラップ12, 12の自由端を係合突条10, 10の対向する側の各側面へ係合させたから、補強紙筒８が薄肉容器体に対して上下動ないし回動することがない。更に、補強紙筒８は、製品名或いは使用説明を表記する印刷面として利用できる。
【図面の簡単な説明】
【図１】  本発明の第１実施形態を示す分解斜視図である。
【図２】  ａ図は、補強紙筒を嵌合させた状態で示す要部拡大横断面図、ｂ図は、同状態で示す要部拡大縦断面図である。
【図３】  ａ図は、補強紙筒部分を反転させた状態で示す要部拡大横断面図、ｂ図は、同状態で示す要部拡大縦断面図である。
【図４】  本発明の第２実施形態を示す分解斜視図である。
【図５】  補強紙筒を嵌合させた状態で示す要部拡大横断面図である。
【図６】  折り曲げフラップを屈曲させた状態で示す要部拡大横断面図である。
【図７】  本発明の第３実施形態で示す薄肉容器体の斜視図である。
【符号の説明】
１…薄肉容器体  ８…補強紙筒
【図１】
0003882131.tif 000002
【図２】
0003882131.tif 000003
【図３】
0003882131.tif 000004
【図４】
0003882131.tif 000005
【図５】
0003882131.tif 000006
【図６】
0003882131.tif 000007
【図７】
0003882131.tif 000008